(57)【特許請求の範囲】
【請求項１】
桁と、該桁間に配置された上部桟及び下部桟とを有するとともに、フォーク差し込み口の奥行き方向に沿って、桁の上部に、補強凹部が形成されており、且つ、補強凹部の水平補強壁が、逆Ｔ字状の上部桟の水平部と略面一な平面を形成するように構成されていることを特徴とする合成樹脂製パレット。
【請求項２】
補強凹部の一部が、フォーク差し込み口の上方に延出していることを特徴とする請求項１に記載の合成樹脂製パレット。
【発明の詳細な説明】
【０００１】
【発明の属する技術分野】
本発明は、種々の物品を運搬する際に使用されるフォーク差し込み口を有する合成樹脂製パレットに関するものである。
【０００２】
【従来の技術】
従来、相対する桁の側面及び桁間に上下に形成された桟により、合成樹脂製パレットの側面に、フォーク差し込み口を形成した合成樹脂製パレットが知られている。
【０００３】
【発明が解決しようとする課題】
従来の合成樹脂製パレットは、特に、桁と桁に連結された桟との接合部付近、即ち、フォーク差し込み口の上部隅部の強度が充分でないために、この部分が破損したり、或いは、フォーク差し込み口を形成する桟が湾曲する等の変形を起こすという問題があった。
【０００４】
本発明の目的は、上述した従来の合成樹脂製パレットが有する課題を解決するとともに、耐久性の向上した合成樹脂製パレットを提供することにある。
【０００５】
【課題を解決するための手段】
本発明は、上述した目的を達成するために、第１には、桁と、該桁間に配置された上部桟及び下部桟とを有するとともに、フォーク差し込み口の奥行き方向に沿って、桁の上部に、補強凹部が形成されており、且つ、補強凹部の水平補強壁が、逆Ｔ字状の上部桟の水平部と略面一な平面を形成するように構成したものであり、第２には、補強凹部の一部を、フォーク差し込み口の上方に延出したものである。
【０００６】
【実施例】
以下に、本発明の合成樹脂製パレットの一部切欠部を含む全体斜視図である図１、図１のＩ−Ｉ線に沿った垂直断面図である図２及び図２と同様の垂直断面図である図３を用いて、本発明の実施例について説明するが、本発明の趣旨を越えない限り何ら、本実施例に限定されるものではない。
【０００７】
Ｐは、一例として、各側面に、それぞれ、２個のフォーク差し込み口１を有する、所謂、４方差しの合成樹脂製パレットであり、合成樹脂製パレットＰは、表面デッキボード２と裏面デッキボード３を有している。そして、表面デッキボード２と裏面デッキボード３とは、それぞれ、隅部に位置する４つの筒状の隅桁４、隅部４の中間に位置する４つの筒状の中間桁５及び中央に位置する１つの筒状の中央桁６により連結されている。
【０００８】
隅桁４と中間桁５とは、表面デッキボード２と裏面デッキボード３の一部を形成する、リブが格子状に配置された上部桟７及び下部桟８により、それぞれ、連結されている。上部桟７及び下部桟８は、フォーク差し込み口１の間口の幅方向に沿ったリブ（以下、単に、「幅方向リブ」という。）７ａ、８ａと、フォーク差し込み口１の間口の幅方向と直交する方向、即ち、フォーク差し込み口１の奥行き方向に沿ったリブ（以下、単に、「奥行き方向リブ」という。）７ｂ、８ｂとを格子状に配置することにより構成されている。そして、フォーク差し込み口１は、相対する隅桁４の側壁４ａと中間桁５の側壁５ａと上部桟７と下部桟８により形成されている。なお、上部桟７を構成する幅方向リブ７ａ及び奥行き方向リブ７ｂを、それぞれ、上部幅方向リブ７ａ及び上部奥行き方向リブ７ｂといい、また、下部桟８を構成する幅方向リブ８ａ及び奥行き方向リブ８ｂを、それぞれ、下部幅方向リブ８ａ及び下部奥行き方向リブ７ｂという。
【０００９】
上部桟７を形成する上部幅方向リブ７ａ及び上部奥行き方向リブ７ｂは、図２に示されているように、その長さ方向と直交する垂直断面形状が、逆Ｔ字状に形成されており、また、下部桟８を形成する下部幅方向リブ８ａ及び下部奥行き方向リブ８ｂは、図２に示されているように、その長さ方向と直交する垂直断面形状が、Ｔ字状に形成されている。このように、リブ形状を、逆Ｔ字状或いはＴ字状とすることにより、フォーク差し込み口１を形成する上部桟７と下部桟８の強度、特に、曲げ強度を向上することができる。
【００１０】
筒状の隅桁４の上部には、フォーク差し込み口１側の側壁４ａに沿って、フォーク差し込み口１の奥行き方向に延びる補強凹部９が形成されている。この補強凹部９は、隅桁４の天部４ｂに対して垂直な補強垂直壁４ｃと、該補強垂直壁４ｃの下端と隅桁４のフォーク差し込み口１側の側壁４ａとを連結する水平補強壁４ｄと、隅桁４のフォーク差し込み口１側の側壁４ａとにより囲まれて形成されている。そして、水平補強壁４ｄは、上述した逆Ｔ字状の上部幅方向リブ７ａ及び上部奥行き方向リブ７ｂの水平部７ａ’、７ｂ’と略面一な平面を形成するように構成されている。
【００１１】
同様に、筒状の中間桁５の上部にも、フォーク差し込み口１側の側壁５ａに沿って、フォーク差し込み口１の奥行き方向に延びる補強凹部１０が形成されている。この補強凹部１０も、中間桁５の天部５ｂに対して垂直な補強垂直壁５ｃと、該補強垂直壁５ｃの下端と中間桁５のフォーク差し込み口１側の側壁５ａとを連結する水平補強壁５ｄと、中間桁５のフォーク差し込み口１側の側壁５ａとにより囲まれて形成されている。そして、水平補強壁５ｄも、同じように、逆Ｔ字状の上部幅方向リブ７ａ及び上部奥行き方向リブ７ｂの水平部７ａ’、７ｂ’と略面一な平面を形成するように構成されている。
【００１２】
上述したように、フォーク差し込み口１の奥行き方向に沿って、隅桁４及び中間桁５の上部に、補強凹部９、１０を設けるとともに、補強凹部９、１０の水平補強壁、４ｄ、５ｄが、逆Ｔ字状の上部幅方向リブ７ａ及び上部奥行き方向リブ７ｂの水平部７ａ’、７ｂ’と略面一な平面を形成するように構成したことにより、隅桁４及び中間桁５と上部桟７との接合付近、即ち、フォーク差し込み口１の上部隅部１ａ付近の強度を向上することができる。フォーク差し込み口１に挿入されたフォークにより、合成樹脂製パレットＰが持ち上げられると、隅桁４及び中間桁５と上部桟７との接合付近、即ち、フォーク差し込み口１の上部隅部１ａ付近には、特に、大きな負荷が掛かることになるので、このフォーク差し込み口１の上部隅部１ａの補強は、合成樹脂製パレットＰの耐久性向上にとっては非常に重要なことである。
【００１３】
次に、本発明の別の実施例について、図３を用いて説明する。この実施例は、上述した補強凹部９の水平補強壁４ｄを、隅桁４のフォーク差し込み口１側の側壁４ａを越えて中間桁５方向に、所定量、延出させるとともに、水平補強壁４ｄのフォーク差し込み口１側の端部から上方に向けて側壁４ａの残りの部分４ａ’を延出させたものである。換言すれば、この実施例においては、隅桁４のフォーク差し込み口１側の側壁４ａに、中間桁５方向への張出壁４ａ’が形成されており、隅桁４の天部４ｂに対して垂直な補強垂直壁４ｃと、隅桁４のフォーク差し込み口１側の側壁４ａを越えて中間桁５方向まで延出している水平補強壁４ｄと、隅桁４の張出壁４ａ’により、補強凹部９が形成されている。上述した実施例と同様に、水平補強壁４ｄは、逆Ｔ字状の上部幅方向リブ７ａ及び上部奥行き方向リブ７ｂの水平部７ａ’、７ｂ’と略面一な平面を形成するように構成されている。上記のような構造を採用することにより、補強凹部９の一部が、フォーク差し込み口１内に入り込み、フォーク差し込み口１の上部隅部１ａ付近のより向上した補強が実現できる。
【００１４】
同様に、中間桁５のフォーク差し込み口１側の側壁５ａに、隅桁４方向への張出壁５ａ’が形成されており、中間桁５の天部５ｂに対して垂直な補強垂直壁５ｃと、中間桁５のフォーク差し込み口１側の側壁５ａを越えて隅桁４方向まで延出している水平補強壁５ｄと、中間桁５の張出壁５ａ’により、補強凹部１０が形成されている。上述した実施例と同様に、水平補強壁５ｄは、逆Ｔ字状の上部幅方向リブ７ａ及び上部奥行き方向リブ７ｂの水平部７ａ’、７ｂ’と略面一な平面を形成するように構成されている。このように補強凹部１０の一部が、フォーク差し込み口１内に入り込み、フォーク差し込み口１の上部隅部１ａをより補強することができる。
【００１５】
上述した実施例においては、補強凹部９が、隅桁４のフォーク差し込み口１側の側壁４ａに沿って、フォーク差し込み口１の奥行き方向に延びるように形成されており、そして、隅桁４の隣接する２つの側壁４ａが、フォーク差し込み口１に面しているので、図１に示されているように、隅桁４には、平面形状が略Ｌ字状の補強凹部９が形成されてことになる。また、補強凹部１０は、中間桁５のフォーク差し込み口１側の相対する側壁５ａに沿って、フォーク差し込み口１の奥行き方向に延びるように形成されているので、図１に示されているように、中間桁５には、平行に２本の補強凹部１０が形成されてことになる。
【００１６】
なお、各側面に、それぞれ、２個のフォーク差し込む口１が形成された、所謂、４方差しの合成樹脂製パレットＰに本発明を適用した場合について説明したが、２組の相対する側面のうち、一方の相対する側面のみに、フォーク差し込み口１を形成した、所謂、２方差しの合成樹脂製パレットＰに適用することもできる。また、合成樹脂製パレットＰを上下方向に半分ずつ、それぞれ、別体に成形し、成形された半体のパレットを、桁部分で溶着して形成された合成樹脂製パレットＰに適用することもできる。
【００１７】
【発明の効果】
本発明は、以上説明したように構成されているので、以下に記載する効果を奏することができる。
【００１８】
フォーク差し込み口の奥行き方向に沿って、桁の上部に、補強凹部を形成したので、桁と上部桟との接合付近、即ち、フォーク差し込み口の上部隅部付近の強度を向上することができ、従って、合成樹脂製パレットの耐久性を向上することができる。
【００１９】
補強凹部の水平補強壁が、逆Ｔ字状の上部桟の水平部と略面一な平面を形成するように構成したので、桁と上部桟との接合付近、即ち、フォーク差し込み口の上部隅部付近の強度をより向上することができるとともに、特に、上部桟の曲げ強度を向上することができる。
【図面の簡単な説明】
【図１】図１は本発明の合成樹脂製パレットの一部切欠部を含む全体斜視図である。
【図２】図２は図１のＩ−Ｉ線に沿って垂直断面図である。
【図３】図３は図２と同様の垂直断面図である。
【符号の説明】
Ｐ・・・・・・・・合成樹脂製パレット
１・・・・・・・・フォーク差し込み口
２・・・・・・・・表面デッキボード
３・・・・・・・・裏面デッキボード
４・・・・・・・・隅桁
５・・・・・・・・中間桁
６・・・・・・・・中央桁
７・・・・・・・・上部桟
８・・・・・・・・下部桟
９、１０・・・・・補強凹部
【図１】
0003848703.tif 000002
【図２】
0003848703.tif 000003
【図３】
0003848703.tif 000004